(57)【要約】  【課題】  保守作業の工数を削減することができる計量装置を提供すること。  【解決手段】  計量装置１０は、開口部２１ａを含む前板２１と後板２２とを有する筐体２０と、被計量物の重量を計量する計量ユニット３０と、計量ユニット３０を後板２２の一方の面２２ａに固定するユニット固定ネジ４０と、開口部２１ａを塞ぐ前面パネル５０とを備え、計量ユニット３０は、ロードセルによって構成された秤３１と、秤３１の後部に設けられた固定板３２と、秤３１及び固定板３２を覆う秤カバー３３と、ユニット固定ネジ４０が挿入されるパイプ３４と、秤３１の前部にネジで固定されたシャッタ開閉制御部３５と、前面パネル５０の開口部５０ａを覆うパネルカバー３６と、ホッパ３８を保持するホッパ保持部３７と、被計量物を収容するホッパ３８とを備える。【選択図】  図１
2006105860.tif 000002
【特許請求の範囲】
【請求項１】
固定板（２２）と、前記固定板の一方の面（２２ａ）に装着され、物品の重量を計量する計量ユニット（３０）と、前記計量ユニットに設けられ、固定手段（４０）が装着される装着部（３２、３４）とを備え、
前記固定手段を前記装着部に取り付けて、前記固定板の一方の面から前記固定板に固定することにより、前記計量ユニットを前記固定板に固定したことを特徴とする計量装置。
【請求項２】
前記固定手段は、ネジであることを特徴とする請求項１に記載の計量装置。
【請求項３】
前記固定板の一方の面に対向して設けられ、前記計量ユニットが挿通される開口部（２１ａ）を有する対向板（２１）と、前記対向板に取り付けられ、前記計量ユニットの挿通部分（３５ａ）を除いて前記開口部を閉塞する閉塞板（３６、５０）とを備えたことを特徴とする請求項１又は請求項２に記載の計量装置。
【請求項４】
前記閉塞板は、前記固定手段の一部（７０ａ）と嵌合する嵌合部（８０ａ）を備えたことを特徴とする請求項３に記載の計量装置。
【請求項５】
固定板（２２）と、前記固定板の一方の面（２２ａ）に装着され、物品の重量を計量する複数の計量ユニット（３０）と、前記固定板の一方の面に対向して設けられ、前記複数の計量ユニットが挿通される開口部（２１ａ）を有する対向板（２１）と、前記対向板に取り付けられ、前記複数の計量ユニットの挿通部分（３５ａ）を除いて前記開口部を閉塞する複数の閉塞板（３６、５０）と、前記複数の計量ユニットのそれぞれに設けられ、固定手段（４０）が装着される装着部（３２、３４）とを備え、
前記複数の閉塞板は、それぞれ、隣接する閉塞板の一部を受け止める受け部（５０ｂ）を備え、
前記固定手段を前記装着部に取り付けて、前記固定板の一方の面から前記固定板に固定することにより、前記複数の計量ユニットを前記固定板にそれぞれ固定したことを特徴とする計量装置。
【発明の詳細な説明】
【技術分野】
【０００１】
本発明は、物品の重量を計量する計量装置に関する。
【背景技術】
【０００２】
従来、この種の計量装置としては、図６に示すようなものが知られている。図６に示された従来の計量装置１は、被計量物を蓄えるタンク２と、被計量物を供給する供給トラフ３と、被計量物を溜め込むストックホッパ部４と、被計量物を計量する計量ホッパ部５と、計量後の被計量物を一時的に溜め込むメモリホッパ部６と、メモリホッパ部６から排出された被計量物を一纏めにする集合シュート７とを備えている。
【０００３】
ストックホッパ部４、計量ホッパ部５及びメモリホッパ部６は、それぞれ、被計量物が収容される６連のホッパ４ａ、５ａ及び６ａと、各ホッパの底面の排出口を開閉するシャッタ４ｂ、５ｂ及び６ｂと、本体１ａに収納されたラック４ｃ、５ｃ及び６ｃとを備えている。
【０００４】
従来の計量装置１は、タンク２に蓄えられた被計量物を供給トラフ３からストックホッパ部４に供給した後、計量ホッパ部５において計量してメモリホッパ部６に送り、例えば３個のホッパ６ａ内の被計量物の合計重量が所望の重量に最も近くなるようホッパ６ａの組合せを選定することによって、所望の重量に近い被計量物を集合シュート７から排出するようになっている。
【０００５】
ところで、従来の計量装置１の計量ホッパ部５は、図７に示すように構成されている。図７は、計量装置１の本体１ａから計量ホッパ部５のラック５ｃを引き出した状態を示している。ただし、構成をわかりやすくするため、ホッパ５ａ周辺（図６参照）の図示を省略し、６連のうちの１つのみの構成を示している。
【０００６】
図７に示すように、計量ホッパ部５は、ロードセルで構成された秤５ｄを有する計量ユニット５ｅを備えている。計量ユニット５ｅは、秤５ｄの背面がラック５ｃの後板５ｆの裏側から２本のネジ５ｇによって固定され、秤５ｄの前面側にあるホッパ５ａやシャッタ５ｂ等（図示省略）も負荷として、ホッパ５ａ内に収容された被計量物の重量を計量するようになっている（例えば、特許文献１参照。）。
【特許文献１】特開平９−２８０９３４号公報（第３−４頁、第５図）
【発明の開示】
【発明が解決しようとする課題】
【０００７】
しかしながら、このような従来の計量装置では、計量ユニットの点検や交換等の保守作業を行う場合、例えば６個のうちの１個の計量ユニットが故障して新品と交換する場合、ラックを本体から引き出して計量ユニットの交換作業を行った後、再びラックを本体に戻す作業が必要となるので、保守作業が煩雑で工数が嵩むという問題があった。
【０００８】
また、従来の計量装置では、秤がロードセルで構成されているので、計量ユニットが取り付けられるラックの取付面が計量時に変形しないようラックの強度を高めなければ計量精度が低下するという課題があり、この課題を解決するため、ラックを頑強にして計量ユニットの取り付け強度を上げようとするとラックの重量が増大してしまい、保守作業が容易に行えないという問題があった。
【０００９】
さらに、従来の計量装置では、例えば６連のホッパを８連や１０連のように多連化する場合、ラックが共通化できず新規となってコストが嵩むという問題があった。
【００１０】
本発明は、このような問題を解決するためになされたものであり、計量精度を低下させることなく、従来のものよりも保守作業の工数を削減し、しかも、ホッパの多連化にも対応することができる計量装置を提供するものである。
【課題を解決するための手段】
【００１１】
本発明の計量装置は、固定板と、前記固定板の一方の面に装着され、物品の重量を計量する計量ユニットと、前記計量ユニットに設けられ、固定手段が装着される装着部とを備え、前記固定手段を前記装着部に取り付けて、前記固定板の一方の面から前記固定板に固定することにより、前記計量ユニットを前記固定板に固定した構成を有している。
【００１２】
この構成により、本発明の計量装置は、固定手段によって固定板の一方の面側から計量ユニットを単独で着脱することができるので、計量精度を低下させることなく、従来のものよりも保守作業の工数を削減し、しかも、ホッパの多連化にも対応することができる。
【００１３】
また、本発明の計量装置は、前記固定手段は、ネジである構成を有している。
【００１４】
この構成により、本発明の計量装置は、汎用のネジを使用することができるので、計量ユニットの取り付け及び取り外しを容易化することができ、製造コストの低減化を図ることができる。
【００１５】
また、本発明の計量装置は、前記固定板の一方の面に対向して設けられ、前記計量ユニットが挿通される開口部を有する対向板と、前記対向板に取り付けられ、前記計量ユニットの挿通部分を除いて前記開口部を閉塞する閉塞板とを備えた構成を有している。
【００１６】
この構成により、本発明の計量装置は、閉塞板が、計量ユニットの挿通部分を除いて対向板の開口部を閉塞するので、装置を洗浄する際の洗浄水や粉塵等が筐体内に侵入することを防止できる。
【００１７】
また、本発明の計量装置は、前記閉塞板は、前記固定手段の一部と嵌合する嵌合部を備えた構成を有している。
【００１８】
この構成により、本発明の計量装置は、固定手段の位置を基準として、対向板の開口部を閉塞板によって高精度で閉塞することができるので、閉塞板の取付工数の低減化を図ることができる。
【００１９】
また、本発明の計量装置は、固定板と、前記固定板の一方の面に装着され、物品の重量を計量する複数の計量ユニットと、前記固定板の一方の面に対向して設けられ、前記複数の計量ユニットが挿通される開口部を有する対向板と、前記対向板に取り付けられ、前記複数の計量ユニットの挿通部分を除いて前記開口部を閉塞する複数の閉塞板と、前記複数の計量ユニットのそれぞれに設けられ、固定手段が装着される装着部とを備え、前記複数の閉塞板は、それぞれ、隣接する閉塞板の一部を受け止める受け部を備え、前記固定手段を前記装着部に取り付けて、前記固定板の一方の面から前記固定板に固定することにより、前記複数の計量ユニットを前記固定板にそれぞれ固定した構成を有している。
【００２０】
この構成により、本発明の計量装置は、複数の閉塞板が、それぞれ、隣接する閉塞板の一部を受け止める受け部を備えるので、閉塞板の取付工数の低減化を図ることができると共に、隣接する閉塞板との間の隙間の発生を抑え、装置を洗浄する際の洗浄水や粉塵等が筐体内に侵入することを防止することができる。
【発明の効果】
【００２１】
本発明は、計量精度を低下させることなく、従来のものよりも保守作業の工数を削減し、しかも、ホッパの多連化にも対応することができるという効果を有する計量装置を提供することができるものである。
【発明を実施するための最良の形態】
【００２２】
以下、本発明の実施の形態について図面を用いて説明する。
【００２３】
（第１の実施の形態）
まず、本発明の第１の実施の形態の計量装置の構成について、図１及び図２を参照して説明する。図１は、本実施の形態の計量装置の側面からの部分断面図であり、図２（ａ）及び図２（ｂ）は、それぞれ、本実施の形態の計量装置の上面からの部分断面図及び正面からの部分断面図を示している。
【００２４】
図１及び図２に示すように、本実施の形態の計量装置１０は、開口部２１ａを含む前板２１と後板２２とを有する筐体２０と、被計量物の重量を計量する計量ユニット３０と、計量ユニット３０を後板２２の一方の面２２ａに固定するユニット固定ネジ４０と、開口部２１ａを塞ぐ前面パネル５０とを備えている。ここで、後板２２は、例えば、図示のような一枚の厚板や、金属製の角パイプ等で構成され、本発明の固定板を構成している。また、ユニット固定ネジ４０は、本発明の固定手段を構成している。
【００２５】
なお、図２に示すように、計量装置１０は複数の計量ユニットと複数の前面パネルとを備えているが、以下の説明においては、１つの計量ユニット３０について説明する。また、計量ユニット３０に隣接する計量ユニットを計量ユニット３０Ｌ及び３０Ｒとし、前面パネル５０に隣接する前面パネルを前面パネル５０Ｌ及び５０Ｒとする。
【００２６】
計量ユニット３０は、例えばロードセルによって構成された秤３１と、秤３１の後部に設けられた固定板３２と、秤３１及び固定板３２を覆う秤カバー３３と、ユニット固定ネジ４０が挿入されるパイプ３４と、秤３１の前部にネジで固定されたシャッタ開閉制御部３５と、前面パネル５０の開口部５０ａを覆うパネルカバー３６と、ホッパ３８を保持するホッパ保持部３７と、被計量物を収容するホッパ３８とを備えている。なお、固定板３２及びパイプ３４は、本発明の装着部を構成している。
【００２７】
秤３１は、固定板３２の後部からネジで固定されている。固定板３２には、ユニット固定ネジ４０の首下部が貫通する貫通穴が形成されている。秤カバー３３は、秤３１及び固定板３２の周囲を覆うように形成されており、前面側には曲げ部３３ａを有している。パイプ３４は、秤カバー３３の曲げ部３３ａに設けられた貫通穴に嵌合されており、ユニット固定ネジ４０の首下部が挿入され、ユニット固定ネジ４０の頭部を受けるようになっている。ユニット固定ネジ４０は、対角配置された２本で構成され、パイプ３４を介して計量ユニット３０を後板２２に固定するようになっている。
【００２８】
シャッタ開閉制御部３５は、パネルカバー３６及びホッパ保持部３７が取り付けられるカバー取付部３５ａと、ホッパ３８のシャッタ３９を開閉するシャッタシャフト３５ｂと、Ｕ字状のシャッタ軸受３５ｃとを備えている。シャッタ開閉制御部３５は、パルスモータ、モータ制御回路、メカ部等で構成され、制御部（図示省略）からの制御信号に基づいて、シャッタシャフト３５ｂを水平方向に移動させることによって、ホッパ３８のシャッタ３９を開いたり、閉じたりする制御を実行するようになっている。
【００２９】
前面パネル５０は、コ字状に曲げられ、カバー取付部３５ａを挿通させる開口部５０ａと、隣接する前面パネル５０Ｒの一部を受け止める受け部５０ｂと、取付ネジ５０ｃを挿入する穴５０ｄとを備え、前板２１の開口部２１ａを塞ぐよう取り付けられるようになっている。
【００３０】
パネルカバー３６は、前面パネル５０の開口部５０ａを覆い、ホッパ３８周辺を洗浄する際の洗浄水や粉塵等が開口部５０ａから筐体２０の内部に入り込むことを防止するようになっている。なお、パネルカバー３６及び前面パネル５０は、本発明の閉塞板を構成している。
【００３１】
ホッパ保持部３７は、ホッパ３８を保持するＵ字溝３７ａを備え、２本の取付ネジ３７ｂによって、パネルカバー３６と共にカバー取付部３５ａに装着されている。
【００３２】
ホッパ３８は、ホッパ保持部３７のＵ字溝３７ａに取り付けられるシャフト３８ｂを含むアーム３８ａと、計量後に計量物を排出する排出口３８ｃとを備えている。
【００３３】
シャッタ３９は、シャッタ軸受３５ｃが連結されるシャッタタブ３９ａと、シャッタ３９の回転中心位置に設けられた回転軸部３９ｂとを備えている。
【００３４】
次に、本実施の形態の計量装置１０に係る計量ユニット３０を例えば保守時に筐体２０から取り外す手順について、図３を参照して説明する。
【００３５】
まず、ホッパ３８をホッパ保持部３７から取り外す（図３（ａ））。ホッパ３８は、ホッパ保持部３７のＵ字溝３７ａに落とし込まれて保持されているので、ホッパ３８を上方に引き抜くことにより容易に取り外すことができる。
【００３６】
次いで、取付ネジ３７ｂを取り外し、パネルカバー３６及びホッパ保持部３７にそれぞれ設けられた貫通穴をシャッタシャフト３５ｂ及びシャッタ軸受３５ｃに順次通し、パネルカバー３６及びホッパ保持部３７をカバー取付部３５ａから取り外す（図３（ｂ））。
【００３７】
さらに、取付ネジ５０ｃを取り外し、開口部５０ａをシャッタシャフト３５ｂ及びシャッタ軸受３５ｃに順次通し、前面パネル５０を前板２１から取り外す（図３（ｃ））。このとき、開口部５０ａとカバー取付部３５ａとの間の隙間を利用して、受け部５０ｂと前面パネル５０Ｒとを離すように前面パネル５０を傾けて取り外す（図２参照）。
【００３８】
そして、ユニット固定ネジ４０を取り外して、計量ユニット３０を筐体２０の後板２２から取り外し、前面パネル５０Ｌと５０Ｒとの間の開口部２１ａから計量ユニット３０を取り出す。
【００３９】
以上のように、本実施の形態の計量装置１０によれば、ユニット固定ネジ４０は、固定板３２及びパイプ３４を介し、前面側から計量ユニット３０を単独で着脱する構成としたので、計量精度を低下させることなく、従来のものよりも保守作業の工数を削減し、しかも、ホッパの多連化にも対応することができる。
【００４０】
また、本実施の形態の計量装置１０によれば、前面パネル５０は、隣接する閉塞板の一部を受け止める受け部５０ｂを備える構成としたので、前面パネル５０の取付工数の低減化を図ることができ、また、隣接する前面パネル５０Ｒと前面パネル５０とに隙間が生じた場合でも筐体２０内への粉塵等の侵入を防止することができる。
【００４１】
なお、本実施の形態において、固定板３２及びパイプ３４で装着部を構成し、この装着部にユニット固定ネジ４０を装着することによって計量ユニット３０を後板２２に固定する構成を例に挙げて説明したが、本発明はこれに限定されるものではない。
【００４２】
例えば、図４（ａ）及び図４（ｂ）に示すように、計量装置１０が、前述の固定板３２に代えて固定板３２ａを備え、固定板３２ａをユニット固定ネジ４０ａで後板２２に固定する構成としても同様な効果を得ることができる。この場合、固定板３２ａ及びユニット固定ネジ４０ａは、それぞれ、本発明の装着部及び固定手段を構成する。
【００４３】
また、本実施の形態において、ユニット固定ネジ４０を２本で構成する例を挙げて説明したが、本発明はこれに限定されるものではなく、１本のユニット固定ネジ４０で計量ユニット３０を後板２２と固定する構成としてもよく、また、３本以上のユニット固定ネジ４０で計量ユニット３０を後板２２と固定する構成としても同様な効果を得ることができる。
【００４４】
また、本実施の形態において、固定手段をユニット固定ネジ４０で構成する例を挙げて説明したが、本発明の固定手段はネジに限定されるものではなく、計量ユニット３０と後板２２とを前面側から固定できるものであれば同様な効果を得ることができる。
【００４５】
（第２の実施の形態）
まず、本発明の第２の実施の形態の計量装置の構成について、図５（ａ）及び図５（ｂ）を参照して説明する。図５（ａ）は、本実施の形態の計量装置の上面からの部分断面図、図５（ｂ）は、本実施の形態の計量装置の正面図を示している。なお、本実施の形態の計量装置は、本発明の第１の実施の形態の計量装置１０（図１及び図２参照）に係るユニット固定ネジ４０及び前面パネル５０を変更したものであり、その他の構成は同様であるので、同様な構成については同一の符号を付して詳細な説明を省略する。
【００４６】
図５（ａ）及び図５（ｂ）に示すように、本実施の形態の計量装置６０は、開口部２１ａを含む前板２１と後板２２とを有する筐体２０と、被計量物の重量を計量する計量ユニット３０と、計量ユニット３０を後板２２の一方の面２２ａに固定するユニット固定ネジ７０と、開口部２１ａを塞ぐ前面パネル８０とを備えている。ここで、ユニット固定ネジ７０は、本発明の固定手段を構成している。
【００４７】
なお、計量装置６０は複数の計量ユニットと複数の前面パネルとを備えているが、以下の説明においては、１つの計量ユニット３０について説明する。また、計量ユニット３０に隣接する計量ユニットを計量ユニット３０Ｌ及び３０Ｒとし、前面パネル８０に隣接する前面パネルを前面パネル８０Ｌ及び８０Ｒとする。
【００４８】
ユニット固定ネジ７０は、例えば周囲が六角形で形成された頭部から前面パネル８０側に延長された延長部７０ａを備えている。前面パネル８０は、延長部７０ａと嵌合される凹部を有する嵌合部８０ａと、前板２１との固定ネジ８０ｄが挿入される穴８０ｂと、開口部８０ｃとを備えている。なお、前面パネル８０Ｌ及び８０Ｒも嵌合部８０ａを有するが図示を省略している。
【００４９】
嵌合部８０ａは、例えば溶接により前面パネル８０に設けられている。開口部８０ｃは、パネルカバー３６で覆われ、パネルカバー３６は、ホッパ３８周辺を洗浄する際の洗浄水や粉塵等が開口部５０ａから筐体２０の内部に入り込むことを防止するようになっている。なお、パネルカバー３６及び前面パネル８０は、本発明の閉塞板を構成している。
【００５０】
次に、本実施の形態の計量装置６０に係る計量ユニット３０を例えば保守時に筐体２０に取り付ける手順について、図５（ａ）及び図５（ｂ）を参照して説明する。ただし、計量ユニット３０に隣接する計量ユニット３０Ｌ及び３０Ｒと、前面パネル８０に隣接する前面パネル８０Ｌ及び８０Ｒとが既に取り付けられているものとする。
【００５１】
まず、前板２１の開口部２１ａから計量ユニット３０の本体を筐体２０内に挿入する。ここで、計量ユニット３０の本体とは、パネルカバー３６、ホッパ保持部３７及びホッパ３８を計量ユニット３０から除いたものをいう。
【００５２】
次いで、ユニット固定ネジ７０をパイプ３４及び固定板３２の穴に通し、ユニット固定ネジ７０を締め付けて計量ユニット３０を後板２２に固定する。
【００５３】
さらに、カバー取付部３５ａ及びシャッタシャフト３５ｂに前面パネル８０の開口部８０ｃを通した後、ユニット固定ネジ７０の延長部７０ａを嵌合部８０ａに嵌め込み、固定ネジ８０ｄを締め付けて前面パネル８０を前板２１に固定する。
【００５４】
引き続き、取付ネジ３７ｂによって、パネルカバー３６とホッパ保持部３７とを重ねてカバー取付部３５ａに取り付ける。
【００５５】
次いで、ホッパ３８をホッパ保持部３７のＵ字溝３７ａに装着し、ホッパ３８のシャッタタブ３９ａをシャッタ軸受３５ｃに挿入する（図１参照）。
【００５６】
なお、本実施の形態の計量装置６０に係る計量ユニット３０を筐体２０から取り外す手順は、本発明の第１の実施の形態の計量装置１０と同様（図３参照）であるので、説明を省略する。
【００５７】
以上のように、本実施の形態の計量装置６０によれば、ユニット固定ネジ７０の延長部７０ａを嵌合部８０ａに嵌め込んで前面パネル８０を前板２１に固定する構成としたので、従来のものよりも少ない工数で精度よく前面パネル８０を前板２１に取り付けることができる。
【００５８】
また、本実施の形態の計量装置６０によれば、前述のように従来のものよりも精度よく前面パネル８０を前板２１に取り付けることができるので、筐体２０内への防水性や防塵性等を向上させることもできる。
【００５９】
例えば、パネルカバー３６に代えて、前面パネル８０の開口部８０ｃを塞ぐためのジャバラ状カバーをカバー取付部３５ａに取り付けて、防水性や防塵性等を向上させることができるが、従来のものでは、前板２１に対する前面パネル８０の位置のバラツキが大きく、ジャバラ状カバーが変形して破損しやすくなり、破損した場合は破損箇所から水や粉塵等が浸入してしまうという問題があった。しかしながら、本実施の形態の計量装置６０によれば、従来のものよりも精度よく前面パネル８０を前板２１に取り付けることができるので、ジャバラ状カバーの変形を回避して破損を防止することができ、筐体２０内への防水性や防塵性等を向上させることができる。
【産業上の利用可能性】
【００６０】
以上のように、本発明に係る計量装置は、計量精度を低下させることなく、従来のものよりも保守作業の工数を削減し、しかも、ホッパの多連化にも対応することができるという効果を有し、物品の重量を計量する計量装置等として有用である。
【図面の簡単な説明】
【００６１】
【図１】本発明の第１の実施の形態の計量装置の側面からの部分断面図
【図２】（ａ）本発明の第１の実施の形態の計量装置の上面からの部分断面図  （ｂ）本発明の第１の実施の形態の計量装置の正面からの部分断面図
【図３】本発明の第１の実施の形態の計量装置を筐体から取り外す手順例を示す図
【図４】（ａ）本発明の第１の実施の形態の他の態様に係る計量装置の上面からの部分断面図  （ｂ）本発明の第１の実施の形態の他の態様に係る計量装置の正面からの部分断面図
【図５】（ａ）本発明の第２の実施の形態の計量装置の上面からの部分断面図  （ｂ）本発明の第２の実施の形態の計量装置の正面図
【図６】従来の計量装置の正面図
【図７】従来の計量装置の本体から計量ホッパ部のラックを引き出した状態の斜視図
【符号の説明】
【００６２】
１０、６０  計量装置
２０  筐体
２１  前板（対向板）
２１ａ  前板の開口部
２２  後板（固定板）
２２ａ  後板の一方の面（固定板の一方の面）
３０、３０Ｌ、３０Ｒ  計量ユニット
３１  秤
３２、３２ａ  固定板（装着部）
３３  秤カバー
３３ａ  曲げ部
３４  パイプ（装着部）
３５  シャッタ開閉制御部
３５ａ  カバー取付部
３５ｂ  シャッタシャフト
３５ｃ  シャッタ軸受
３６  パネルカバー（閉塞板）
３７  ホッパ保持部
３７ａ  Ｕ字溝
３７ｂ、５０ｃ  取付ネジ
３８  ホッパ
３８ａ  アーム
３８ｂ  シャフト
３８ｃ  排出口
３９  シャッタ
３９ａ  シャッタタブ
３９ｂ  回転軸部
４０、４０ａ、７０  ユニット固定ネジ（固定手段）
５０、５０Ｌ、５０Ｒ、８０、８０Ｌ、８０Ｒ  前面パネル（閉塞板）
５０ａ、８０ｃ  前面パネルの開口部
５０ｂ  受け部
５０ｄ、８０ｂ  穴
７０ａ  延長部
８０ａ  嵌合部
８０ｄ  固定ネジ
【図１】
2006105860.tif 000003
【図２】
2006105860.tif 000004
【図３】
2006105860.tif 000005
【図４】
2006105860.tif 000006
【図５】
2006105860.tif 000007
【図６】
2006105860.tif 000008
【図７】
2006105860.tif 000009